(57)【要約】【課題】撮影手段によって、例えば遊園地などで撮影された画像をネットワーク網を利用してコンビニエンスストアなどに設置された端末で容易に印刷し、入手することができる撮影画像送信システムを提供する。【解決手段】ネットワーク網と、撮影手段によって撮影された撮影画像を前記ネットワーク網を介して伝送することにより当該撮影画像を保存するサーバと、前記サーバとネットワーク網を介して接続可能な端末と、料金前払い手段と、前記端末に備えられたディスプレイおよびプリンタとを有し、端末に個人を特定する識別番号を入力したのち、料金前払い手段での前払い料金の確認後に前記サーバに保存の撮影画像をプリンタによって印刷可能にしたもので、印刷画像を容易に入手することができる。【選択図】図２
2004248307.tif 000002
【特許請求の範囲】
【請求項１】
ネットワーク網と、撮影手段によって撮影された撮影画像を前記ネットワーク網を介して伝送することにより当該撮影画像を保存するサーバと、前記サーバとネットワーク網を介して接続可能な端末と、料金前払い手段と、前記端末に備えられたディスプレイおよびプリンタとを有し、前記端末に個人を特定する識別番号を入力し、かつ前記料金前払い手段での前払い料金の確認後に前記サーバに保存の前記撮影画像を前記プリンタによって印刷可能にしたことを特徴とする撮影画像送信システム。
【請求項２】
ネットワーク網と、撮影手段によって撮影された撮影画像を前記ネットワーク網を介して伝送することにより当該撮影画像を保存するサーバと、前記サーバとネットワーク網を介して接続可能な端末と、料金前払い手段と、前記端末に備えられたディスプレイおよびプリンタとを有し、前記端末に個人を特定する識別番号を入力することにより前記サーバと端末が接続されてディスプレイに前記撮影画像が表示され、かつ前記料金前払い手段での前払い料金の確認後に前記サーバに保存の前記撮影画像を前記プリンタによって印刷可能にしたことを特徴とする撮影画像送信システム。
【請求項３】
前記料金前払い手段は現金支払機であることを特徴とする請求項１乃至請求項２のいずれかに記載の撮影画像送信システム。
【請求項４】
前記端末からネットワーク網を介してサーバに消去要求信号を送信することにより、前記サーバに保存されている前記撮影画像データが消去されるようにしたことを特徴とする請求項１乃至請求項３のいずれかに記載の撮影画像送信システム。
【請求項５】
前記サーバに保存されている撮影画像データは予め決められた期限の終了後に、自動的に消去されるようにしたことを特徴とする請求項１乃至請求項３のいずれかに記載の撮影画像送信システム。
【請求項６】
前記サーバは前記撮影画像と共に複数の装飾フレームを端末に送信し、前記プリンタは前記装飾フレームにより装飾された前記撮影画像を印刷することを特徴とする請求項１乃至請求項５のいずれかに記載の撮影画像送信システム。
【発明の詳細な説明】
【技術分野】
【０００１】
本発明は、撮影画像を、インターネット網などを介して入手するのに好適な撮影画像送信システムに関するものである。
【背景技術】
【０００２】
近年、デジタルカメラなどの小型、軽量化が進み、ユーザが持ち歩く機会が増えている。特に娯楽の多様化により、テーマパークなどの遊園地に家族で遊びに行く機会も増え、テーマパーク独自のキャラクターと一緒に、写真を撮ることもよくみかけられる。
【０００３】
一般に、撮影した画像は印刷して直ぐにでもどのように撮れているか印刷して見たいという気持ちがあるが、そのような要望をかなえるには大掛りなシステムが必要になるとともに、そのサービスの運営と管理が問題となる。
【０００４】
画像などをネットワーク網を利用してサーバに保存し、これを町中のコンビニエンスストアなどに備えられた複写機で印刷できるようにしたシステムは、例えば特許文献１に開示されている。
【０００５】
しかしながら、特許文献１に開示のシステムでは、複写機側でサーバに保存した画像などがどのように印刷されるのか事前に確認することができない。これは、例えば遊園地などでデジタルカメラなどで撮影した画像をサーバに送信し、これを町中のコンビニエンスストアなどに備えられた印刷機で遊園地からの帰りに印刷してどのように撮れているか見たいような場合、多数枚の撮影画像の中には気にいる写真と、気にいらない写真が混在しているのが通常であり、気に入る画像は印刷し、気にいらない画像は印刷しないという選択が事前にできないという課題があり、また、課金についても特許文献１には料金の構成について記載されているが、その支払い方法をどのようにするか、さらに、サーバにおけるデータの管理期限などについて解決しなければならない課題がある。
【特許文献１】特開２０００−７８３２８号公報
【発明の開示】
【発明が解決しようとする課題】
【０００６】
本発明は、例えば遊園地などでデジタルカメラなどで撮影した画像をネットワーク網によってサーバに送信し、これを町中のコンビニエンスストアなどに備えられたプリンタで遊園地からの帰りに印刷してどのように撮れているか見たいような場合、端末に個人を特定する識別番号を入力し、かつ料金前払い手段での前払い料金の確認後にサーバに保存の前記撮影画像をプリンタによって印刷可能にしたものであり、また、多数枚の撮影画像の中には気にいる写真と、気にいらない写真が混在しているのが通常であるため、気に入る画像は印刷し、気にいらない画像は印刷しないという選択が端末のディスプレイによって印刷する前に事前に行え、さらに、サーバに保存された画像の第３者による悪用も防止するようにしたものである。
【課題を解決するための手段】
【０００７】
本発明の撮影画像送信システムは、ネットワーク網と、撮影手段によって撮影された撮影画像を前記ネットワーク網を介して伝送することにより当該撮影画像を保存するサーバと、前記サーバとネットワーク網を介して接続可能な端末と、料金前払い手段と、前記端末に備えられたディスプレイおよびプリンタとを有し、前記端末に個人を特定する識別番号を入力し、かつ前記料金前払い手段での前払い料金の確認後に前記サーバに保存の前記撮影画像を前記プリンタによって印刷可能にしたものである。
【０００８】
また、本発明は、ネットワーク網と、撮影手段によって撮影された撮影画像を前記ネットワーク網を介して伝送することにより当該撮影画像を保存するサーバと、前記サーバとネットワーク網を介して接続可能な端末と、料金前払い手段と、前記端末に備えられたディスプレイおよびプリンタとを有し、前記端末に個人を特定する識別番号を入力することにより前記サーバと端末が接続されてディスプレイに前記撮影画像が表示され、かつ前記料金前払い手段での前払い料金の確認後に前記サーバに保存の前記撮影画像を前記プリンタによって印刷可能にした撮影画像送信システムである。
【０００９】
そして、料金前払い手段は現金支払機であることを特徴とするものである。
【００１０】
さらに、端末からネットワーク網を介してサーバに消去要求信号を送信することにより、サーバに保存されている前記撮影画像データが消去されるようにしたことを特徴とし、あるいはサーバに保存されている撮影画像データは予め決められた期限の終了後に自動的に消去されるようにしたものである。
【００１１】
また、サーバは撮影画像と共に複数の装飾フレームを端末に送信し、プリンタは前記装飾フレームにより装飾された撮影画像を印刷することも特徴とする。
【発明の効果】
【００１２】
上記の本発明によれば、例えば、遊園地などでデジタルカメラなどで撮影した画像をネットワーク網によってサーバに送信し、これを町中のコンビニエンスストアなどに備えられたプリンタで遊園地からの帰りに印刷してどのように撮れているか見たいような場合、端末に個人を特定する識別番号を入力し、かつ料金前払い手段での前払い料金の確認後にサーバに保存されている撮影画像をプリンタによって印刷することができるため、印刷画像をいち早く入手することができる。
【００１３】
そして、料金を支払う前にディスプレイにより撮影画像をみて、料金を支払って印刷するかどうか事前に選択することができるため、極めて便利なものであり、しかもサーバに保存されている撮影画像データの第３者による悪用対策も防止されるものである。
【００１４】
また、撮影画像に対し、装飾して印刷することができるので、より思い出に残る写真を入手することが可能となる。
【発明を実施するための最良の形態】
【００１５】
（実施の形態１）
以下、本明の実施の形態１について、図１〜図１１を用いて説明する。図１は実施の形態１における撮影画像送信システムに適用されるテーマパークの概略図、図２はテーマパークにおける自動撮影システムのブロック図、図３はテーマパークの入園者と識別番号の関係を説明する図、図４は入園者の撮影方法を説明する図、図５は撮影画像のファイル構造を説明する図、図６はサーバにおける撮影画像の管理方法について説明する図、図７はネットワークシステムのブロック図、図８はユーザ端末のブロック図、図９は撮影画像の撮影方法の説明に用いるフローチャート、図１０は撮影画像の発注方法の説明に用いるフローチャート、図１１はユーザ端末のディスプレイの表示方法を説明する図である。
【００１６】
図１は、本発明の撮影画像送信システムに適用されるデーマパークなどの遊園地の一例である。図１に示すように、テーマパーク１には、ジェットコースター２、メリーゴーランド３、観覧車４などが設置されている。また図２に示すように、テーマパーク１内には、サーバ５に接続されたネットワーク網６が張り巡らされている。このネットワーク網６には、図１に示すテーマパーク１内のＡ，Ｂ，Ｃ，Ｄ，Ｅ，Ｆの各地点にて、撮影手段であるカメラ７および後ほど説明する識別番号の信号を受信する識別番号受信機８とが接続されている。サーバ５には、カメラ７が撮影した撮影画像が、ネットワーク網６を介して伝送された撮影画像を蓄積しておく撮影画像データベース９と、識別番号を蓄積しておく識別番号データベース１０が接続されている。
【００１７】
次に、テーマパーク１の入園者と識別番号と関係について、図３を用いて説明する。この一例では、５人の入園者（１），（２），（３），（４），（５）に対し、それぞれ識別番号［００１］，［００２］，［００３］，［００４］，［００５］が付けられており、入園者はそれぞれ一例として、識別番号のバーコードが記載された識別番号記憶手段であるリストバンド１１を手首に巻いている。識別番号については、入園者が入園する際に、入園者と識別番号が１対１で対応するように、識別番号データベース１０で管理される。
【００１８】
次に、図４に示すように、入園者（１）がテーマパーク１内のＡ地点にて写真撮影を行う際には、手首に巻いたリストバンド１１を識別番号受信機８に認識させることにより、その信号に反応してカメラ７のセルフタイマーが働き、一定時間後にカメラ７のシャッターが押され、撮影画像が記録される。この撮影画像は、入園者（１）の識別番号［００１］と共に、テーマパーク１内のネットワーク網６を通じて、サーバ５に接続された撮影画像データベース９に保存される。
【００１９】
この撮影画像のファイル構造については、図５に示すように、ファイル番号、撮影画像データ、識別番号、撮影地点、撮影年月日を示すデータより構成される。また撮影画像は、撮影画像データベース９にて管理される際、図６に示すツリー構造にて管理される。つまり撮影年月日を示すフォルダ１１、入園者を特定する識別番号のフォルダ１２よりなり、その中に図５に示すファイル構造に基づいて形成された撮影画像が保存されている。
【００２０】
この撮影画像データは、データの管理を効率的に行うため、次に示す規則によりファイルネームが付けられている。つまり、ファイルネーム＝［識別番号］＋［撮影地点］＋［撮影番号］となる。一例として、［００１Ａ００１］というファイルネームは、識別番号［００１］の入園者、撮影地点がＡ地点、その撮影地点での撮影画像の通し番号が［００１］であることを示している。同様に、［００３Ｃ００３］というファイルネームは、識別番号［００３］の入園者、撮影地点がＣ地点、その撮影地点での撮影画像の通し番号が［００３］であることを示している。
【００２１】
次に、サーバ５と、撮影画像をダウンロードする端末のシステムについて説明する。図７に示すように、サーバ５は、インターネットのようなネットワーク網１３を使って、各家庭に置かれたパーソナルコンピュータなどのユーザ端末１４と接続されている。図８は、ユーザ端末の構成の一例を示すものである。図８において、ＣＰＵ１７からはバス１８が導出される。バス１８には、ブートプログラム等が格納されたＲＯＭ１９と、メインメモリ用のＲＡＭ２０と、ハードディスクドライブ等のストレージデバイス２１が接続される。またバス１８には、ドライバ２２を介してディスプレイ２３が接続されると共に、キーボード２４やマウス２５等の入力デバイスが接続される。さらにバス１８には、インターフェース２６を介して記録媒体２７を装着する記録媒体装着装置２８が、インターフェース２９を介してモデム３０、キーボード２４、マウス２５等が接続される。
【００２２】
ユーザ端末１４は、例えばダイアルアップＰＰＰ（Point To Point Protocol）でネットワーク網１３と接続可能とされている。ユーザ端末１４を、ネットワーク網１３を介してサーバ５に接続すると、モデム３０を介して、サーバ５とデータのやり取りが行われる。そして、サーバ５から送られてきたデータは、ディスプレイ２３に映し出される。また、ユーザ端末１４からサーバ５に、モデム３０を介してダウンロードしたい撮影画像の要求信号を送ると、この撮影画像に対応する情報が返される。
【００２３】
以上のように構成された撮影画像送信システムについて、その撮影画像の送信サービスについて、フローチャートを用いて説明する。
【００２４】
図９は、テーマパーク１内の所定の撮影地点において、カメラ７による撮影の処理方法を示すフローチャートである。以下、入園者（１）が撮影する場合を例にとって説明する。
【００２５】
まず、入園者（１）は、テーマパーク１に入園する際に、入園料を支払い、入園者（１）個人に対応する識別番号［００１］を登録する（図９の識別番号記憶ステップに対応するＳ９０１）。この識別番号［００１］は、テーマパーク１内のすべての乗り物に自由に乗ることができることを証明する、いわゆるフリーパスと兼用するものであり、入園者（１）は、例えば図３に示すように、バーコードで識別番号［００１］が記載されたリストバンド１１を受け取り、手首に装着する。
【００２６】
リストバンド１１を着けた入園者（１）が、所定の撮影地点（一例ではＡ地点とする）に立ち、リストバンド１１のデータ（識別番号［００１］）を識別番号受信機８が認識する（識別番号受信ステップに対応するＳ９０２）。識別番号受信機８が識別番号を受信すると、その信号に反応してカメラ７のタイマーが働き、一定時間後シャッターが押され、撮影を開始する（撮影ステップに対応するＳ９０３）。撮影された撮影画像は、識別番号など他のデータとともに、一つのデータとして作成され、テーマパーク１内のバス６を通って、サーバ５の撮影画像データベース９に保存される（保存ステップに対応するＳ９０４）。
【００２７】
撮影画像は、撮影画像データベース９内において分類され、所定のフォルダに保存される（Ｓ９０５）。つまりこの一例においては、識別番号［００１］の入園者（１）が、撮影地点Ａにて、撮影された画像の通し番号が［００１］の場合には、図６の一番上に示す［００１Ａ００１］のファイルネームで保存される。
【００２８】
図１０は、ユーザ端末１４を用いて、入園者、すなわちユーザが撮影画像のダウンロード処理を行う方法（取得ステップ）を示すフローチャートである。以下、入園者（１）が撮影画像をダウンロード処理する場合を例にとって説明する。
【００２９】
まず、テーマパーク１より自宅に戻った入園者（１）は、ユーザ端末１４を用い、ネットワーク網１３を介して、サーバ５との接続を行う（図１０のＳ１００１）。入園者（１）は、キーボード２４より自分の識別番号[００１]を入力し、サーバ５に対して要求信号を送信する（Ｓ１００２）。要求信号を送信した結果、サーバ５は撮影画像データベース９より、識別番号[００１]の撮影画像を検索し、ユーザ端末１４のディスプレイ２３上に、撮影画像の縮小画像（サムネイル画像）を表示させる（Ｓ１００３）。
【００３０】
図１１に、その縮小画像の表示方法の一例を示す。ディスプレイ２３上には、複数枚の撮影画像の縮小画像３１と、それに対応する選択ボタン３２、画面送りボタン３３、画面戻しボタン３４、および決定ボタン３５が表示される。入園者（１）は、マウス２５等により選択ボタン３２にて、自分の希望する撮影画像とその枚数を決定し、決定ボタン３５にて、サーバ５に対して要求信号を送信する（Ｓ１００４）。
【００３１】
撮影画像の注文枚数に応じて、サーバ５は入園者（１）に対して課金を要求する（課金ステップに対応するＳ１００５）。入園者（１）は、自分の注文した料金に間違いがなければ、クレジットカード等の番号をキーボード２４により入力して、発注する旨の要求信号を送信する（Ｓ１００６）。サーバ５は、クレジットカード等の番号が有効であるかどうかの判断を行い（課金ステップ）、問題なしと判断した場合には、ユーザ端末１４に対して、選択された撮影画像の送信を行う（Ｓ１００７）。
【００３２】
以上のように本実施の形態によれば、テーマパークなどの入園者に識別番号を付与し、園内に予め設置されたカメラにおいて撮影された撮影画像にその識別番号を同時に記録し、園内のサーバに保存することができる。さらに入園者は、自宅の端末から識別番号を入力し、その識別番号が記録された撮影画像を閲覧した後、希望の撮影画像を発注することが可能となる。
【００３３】
したがって入園者は、テーマパークに複数台設置されたカメラにて、容易に写真を撮ることが可能となるので、自宅からカメラを持参する必要がなく、また写真撮影を行う煩わしさから解消されるため、写真撮影を行う入園者（カメラマン）は被写体となることができないという、従来の問題を解決することが可能となる。
【００３４】
また、撮影画像には、入園者を特定できる識別番号が同時に記録されるため、主催者のサーバに保存する際、容易に分類することが可能となる。また入園者は、ユーザの端末から、識別番号を入力するだけで、自分が撮影された写真を閲覧することができ、容易に写真を発注することが可能となるため、テーマパーク内では写真を購入するなどの無駄な時間を省くことができるので、テーマパーク内の娯楽施設を楽しむ時間を増やすことができる。
【００３５】
また、撮影画像を発注しやすくなるので、注文枚数も多くなり、撮影画像１枚当たりのコストも削減することが可能となる。
【００３６】
さらには、入園者が、ネットワークを用いてテーマパークにアクセスする回数が増えるため、情報提供等をする機会が増え、入園者にリピーターが多くなるという顕著な効果が得られる。
【００３７】
なお、本実施の形態においては、識別信号については、バーコードを用いる方式をについて説明したが、その方法に限るものではなく、受信機が識別できるものであれば良い。
【００３８】
また、本実施の形態においては、入園者がネットワーク網を介して撮影画像をダウンロードする方法について説明したが、その他の方法として、発注した撮影画像を、任意の大きさに印刷したものを、テーマパークの主催者から郵送にて入手する方法を用いても、同様の効果が得られる。
【００３９】
また、カメラにて撮影される画像は、静止画像を例にして説明したが、動画像を用いても良い。
【００４０】
また、本実施の形態では、５人の入園者の場合を例にとって説明したが、これに限定するものではなく、５人以上の入園者に対しても同様の処理を行えば同効果が得られる。
【００４１】
また、本実施の形態における識別番号の付与の仕方は説明した方法に限定するものではなく、例えば、日付と通し番号の組合せ、アルファベットを私用したりしてもよい。
【００４２】
また、本実施の形態では識別番号をリスト番号によって保持していたが、これに限定するものではなく、フリーパスカードなどに記憶させていてもよい。
【００４３】
また、本実施の形態では、ファイルネーム＝［識別番号］＋［撮影地点］＋［撮影番号］としたが、これに限定するもではなく、入園者を撮影している映像だと判断できるファイルネームであればよい。
【００４４】
（実施の形態２）
以下、本発明の実施の形態２について、図１、図２、図３、図５、図６、図７、図８、図１０、図１１、図１２、図１３、図１４を用いて説明する。
【００４５】
図１は実施の形態２における撮影画像送信システムに適用されるテーマ-パークの概略図、図２はテーマパークにおける自動撮影システムのブロック図、図３はテーマパークの入園者と識別番号の関係を説明する図、図１２はジェットコースタ−乗車時の入園者の撮影方法を説明する図、図１３はジェットコースターに設置された識別番号受信機システムのブロック図、図５は撮影画像のファイル構造を説明する図、図６はサーバにおける撮影画像の管理方法について説明する図、図７はネットワークシステムのブロック図、図８はユーザ端末のブロック図、図１４は撮影画像の撮影方法の説明に用いるフローチャート、図１０は撮影画像の発注方法の説明に用いるフローチャート、図１１はユーザ端末のディスプレイの表示方法を説明する図である。
【００４６】
図１は、本発明の撮影画像送信システムに適用されるテーマパークなどの遊園地の一例である。図１に示すように、テーマパーク１には、ジェットコースター２、メリーゴーランド３、観覧車４などが設置されている。また図２に示すように、テーマパーク１内には、サーバ５に接続されたネットワーク網６が張り巡らされている。このネットワーク網６には、図１に示すテーマパーク１内のＡ，Ｂ，Ｃ，Ｄ，Ｅ，Ｆの各地点にて、撮影手段であるカメラ７および後ほど説明する識別番号の信号を受信する識別番号受信機８とが接続されている。サーバ５には、カメラ７が撮影した撮影画像が、ネットワーク網６を介して伝送された撮影画像を蓄積しておく撮影画像データベース９と、識別番号を蓄積しておく識別番号データベース１０が接続されている。
【００４７】
次に、テーマパーク１の入園者と識別番号と関係について、図３を用いて説明する。この一例では、５人の入園者（１），（２），（３），（４），（５）に対し、それぞれ識別番号［００１］，［００２］，［００３］，［００４］，［００５］が付けられており、入園者はそれぞれ一例として、識別番号のバーコードが記載された識別番号記憶手段であるリストバンド１１を手首に巻いている。識別番号については、入園者が入園する際に、入園者と識別番号が１対１で対応するように、識別番号データベース１０で管理される。
【００４８】
次に、図１２に示すように、入園者（１）〜（５）がテーマパーク１内のＡ地点にて、ジェットコースター２に乗車した時の写真の撮影方法について説明する。入園者（１）〜（５）が、ジェットコースター２に乗車した折、その座席に設置された識別番号受信機８ａ，８ｂ，８ｃ，８ｄ，８ｅに、各人が手首に巻いたリストバンド１１に記載された隙別番号を認識させることにより、識別番号受信機８に識別番号データが送られる。ジェットコースタ−２が動き始め、例えば急降下する坂の地点を通過した時、識別番号受信機８からの信号に対応してカメラ７の動作が開始する。その結果、所定の地点を通過する際のジェットコースター２の走行スピード、各入園者が座っている座席位置およびその間隔（距離）より、予め算出して設定された時間後に、カメラ７は連続撮影を開始する。
【００４９】
この連続した撮影画像は、入園者（１）の識別番号［００１］、入園者（２）の識別番号［００２］、入園者（３）の識別番号［００３］、入園者（４）の識別番号［００４］、入園者（５）の識別番号［００５］と共に、テーマパーク１内のネットワーク網６を通じて、サーバ５に接続された撮影画像データベース９に保存される。この撮影画像のファイル構造については、図５に示すように、ファイル番号、撮影画像データ、識別番号、撮影地点、撮影年月日を示すデータより構成される。
【００５０】
また撮影画像は、撮影画像データベース９にて管理される際、図６に示すツリー構造にて管理される。つまり撮影年月日を示すフォルダ１１、入園者を特定する識別番号のフォルダ１２よりなり、その中に図５に示すファイル構造に基づいて形成された撮影画像が保存されている。
【００５１】
この撮影画像データは、データの管理を効率的に行うため、次に示す規則によりファイルネームが付けられている。つまり、ファイルネーム＝［識別番号］＋［撮影地点］＋［撮影番号］となる。一例として、［００１Ａ００１］というファイルネームは、識別番号［００１］の入園者、撮影地点がＡ地点、その撮影地点での撮影画像の通し番号が［００１］であることを示している。同様に、［００２Ａ００２］というファイルネームは、識別番号［００２］の入園者、撮影地点がＡ地点、その撮影地点での撮影画像の通し番号が［００２］であることを示している。
【００５２】
したがって、ジェットコースター２が急降下する際に撮影された撮影画像は、入園者（１）〜（５）に対し、それぞれ１枚ずつ連続撮影されているため、［００１Ａ００１］，［００２Ａ００２］，［００３Ａ００３］，［００４Ａ００４］，［００５Ａ００５］というファイルネームにて保存される。
【００５３】
次に、サーバ５と、撮影画像をダウンロードする端末のシステムについて説明する。図７に示すように、サーバ５は、インターネットのようなネットワーク網１３を使って、各家庭に置かれたパーソナルコンピュータなどのユーザ端末１４と接続されている。
【００５４】
図８は、ユーザ端末の構成の一例を示すものである。図８において、ＣＰＵ１７からはバス１８が導出される。バス１８には、ブートプログラム等が格納されたＲＯＭ１９と、メインメモリ用のＲＡＭ２０と、ハードディスクドライブ等のストレージデバイス２１が接続される。またバス１８には、ドライバ２２を介してディスプレイ２３が接続されると共に、キーボード２４やマウス２５等の入力デバイスが接続される。さらにバス１８には、インターフェース２６を介して記録媒体２７を装着する記録媒体装着装置２８が、インターフェース２９を介してモデム３０等が接続される。
【００５５】
ユーザ端末１４は、例えばダイアルアップＰＰＰ（Point To Point Protocol）でネットワーク網１３と接続可能とされている。ユーザ端末１４を、ネットワーク網１３を介してサーバ５に接続すると、モデム３０を介して、サーバ５とデータのやり取りが行われる。そして、サーバ５から送られてきたデータは、ディスプレイ２３に映し出される。また、ユーザ端末１４からサーバ５に、モデム３０を介してダウンロードしたい撮影画像の要求信号を送ると、この撮影画像に対応する情報が返される。
【００５６】
以上のように構成された撮影画像送信システムについて、その撮影画像の送信サービスについて、フローチャートを用いて説明する。
【００５７】
図１４は、テーマパーク１内の所定の撮影地点において、カメラ７による撮影の処理方法を示すフローチャートである。以下、入園者（１）〜（５）が撮影地点Ａ地点にあるジェットコースター２に乗車し、ジェットコースター２乗車中に撮影される場合を例にとって説明する。なお入園者（２）〜（５）は、その登録、撮影、及び撮影画像のダウンロード方法について、入園者（１）と同様であるため、その説明は省略する。
【００５８】
まず、入園者（１）は、テーマパーク１に入園する際に、入園料を支払い、入園者（１）個人に対応する識別番号［００１］を登録する（Ｓ１４０１）。この識別番号［００１］は、テーマパーク１内のすべての乗り物に自由に乗ることができることを証明する、いわゆるフリーパスと兼用するものであり、入園者（１）は、例えば図３に示すように、バーコードで識別番号［００１］が記載されたリストバンド１１を受け取り、手首に装着する。
【００５９】
リストバンド１１を着けた入園者（１）が、撮影地点Ａのジェットコースター２に乗車し、リストバンド１１のデータ（識別番号［００１］）を、例えば乗車席の近くに設置された識別番号受信機８ａに認識させる（Ｓ１４０２）。識別番号受信機８ａが識別番号を受信すると、その他の入園者の識別番号８ｂ，８ｃ，８ｄ，８ｅの受信信号と共に、識別信号受信機８に転送される。
【００６０】
ジェットコースター２が動き出し、カメラ７が設置された所定の地点を通過したときに、識別信号受信機８からの信号に反応して、予め算出した時間後にカメラ７のシャッターが押され、入園者（１）〜（５）の連続撮影を開始する（Ｓ１４０３）。この撮影された撮影画像は、識別番号など他のデータとともに、一つのデータとして作成され、テーマパーク１内のバス６を通って、サーバ５の撮影画像データベース９に保存される（Ｓ１４０４）。
【００６１】
撮影画像は、撮影画像データベース９内において分類され、所定のフォルダに保存される（Ｓ１４０５）。つまりこの一例においては、識別番号［００１］の入園者（１）が、撮影地点Ａにて、撮影された画像の通し番号が［００１］の場合には、図６の一番上に示す［００１Ａ００１］のファイルネームで保存される。
【００６２】
図１０は、ユーザ端末１４を用いて、入園者（１）、すなわちユーザ（１）が撮影画像のダウンロード処理を行う方法を示すフローチャートである。以下、入園者（１）が撮影画像をダウンロード処理する場合を例にとって説明する。
【００６３】
まず、テーマパーク１より自宅に戻った入園者（１）は、ユーザ端末１４を用い、ネットワーク網１３を介して、サーバ５との接続を行う（Ｓ１００１）。入園者（１）は、自分の識別番号[００１]、あるいはその識別番号と予め設定したパスワードを入力し、サーバ５に対して要求信号を送信する（Ｓ１００２）。要求信号を送信した結果、サーバ５は撮影画像データベース９より、識別番号[００１]の撮影画像を検索し、ユーザ端末１４のディスプレイ２３上に、撮影画像の縮小画像（サムネイル画像）を表示させる（Ｓ１００３）。
【００６４】
図１１に、その縮小画像の表示方法の一例を示す。ディスプレイ２３上には、複数枚の撮影画像の縮小画像３１と、それに対応する選択ボタン３２、画面送りボタン３３、画面戻しボタン３４、および決定ボタン３５が表示される。入園者（１）は、マウス２５等により選択ボタン３２にて、自分の希望する撮影画像とその枚数を決定し、決定ボタン３５にて、サーバ５に対して要求信号を送信する（Ｓ１００４）。
【００６５】
撮影画像の注文枚数に応じて、サーバ５は入園者（１）に対して課金を要求する（Ｓ１００５）。入園者（１）は、自分の注文した料金に間違いがなければ、クレジットカード等の番号を入力して、発注する旨の要求信号を送信する（Ｓ１００６）。サーバ５は、クレジットカード等の番号が有効であるかどうかの判断を行い（課金ステップ）、問題なしと判断した場合には、ユーザ端末１４に対して、選択された撮影画像の送信を行う（Ｓ１００７）。
【００６６】
以上のように本実施の形態によれば、テーマパークなどの入園者に識別番号を付与し、園内に予め設置されたカメラにおいて撮影された撮影画像にその識別番号を同時に記録し、園内のサーバに保存することができる。さらに入園者は、自宅の端末から識別番号を入力し、その識別番号が記録された撮影画像を閲覧した後、希望の撮影画像を発注することが可能となる。
【００６７】
したがって入園者は、テーマパークに複数台設置されたカメラにて、容易に写真を撮ることが可能となるので、自宅からカメラを持参する必要がなく、また写真撮影を行う煩わしさから解消されるため、写真撮影を行う入園者（カメラマン）は被写体となることができないという、従来の問題を解決することが可能となる。
【００６８】
特に、通常では撮影できないジェットコースターなどに乗っている写真を自動的に撮影し、かつ識別番号を元にカメラの連続撮影が可能となり、不特定多数の人を撮影するのではなく、識別番号を認識した本人だけを撮影できるようになるという、これまでにないサービスを実現できる。
【００６９】
また、撮影画像には、入園者を特定できる識別番号が同時に記録されるため、主催者のサーバに保存する際、容易に分類することが可能となる。また入園者は、ユーザの端末から、識別番号、あるいは識別番号とパスワードを入力するだけで、自分が撮影された写真を閲覧することができ、容易に写真を発注することが可能となるため、テーマパーク内では写真を購入するなどの無駄な時間を省くことができるので、テーマパーク内の娯楽施設を楽しむ時間を増やすことができる。
【００７０】
また、撮影画像を発注しやすくなるので、注文枚数も多くなり、撮影画像１枚当たりのコストも削減することが可能となる。
【００７１】
さらには、入園者が、ネットワークを用いてテーマパークにアクセスする回数が増えるため、情報提供等をする機会が増え、入園者にリピーターが多くなるという顕著な効果が得られる。
【００７２】
なお、本実施の形態においては、識別信号については、バーコードを用いる方式をについて説明したが、その方法に限るものではなく、受信機が識別できるものであれば良い。
【００７３】
なお、本実施の形態においては、入園者がネットワーク網を介して撮影画像をダウンロードする方法について説明したが、その他の方法として、発注した撮影画像を、任意の大きさに印刷したものを、テーマパークの主催者から郵送にて入手する方法を用いても、同様の効果が得られる。
【００７４】
また、カメラにて撮影される画像は、静止画像を例にして説明したが、動画像を用いても良い。また、ジェットコースターの撮影のおいては、複数の地点で撮影し、二人掛けの座席の場合は、二人を同時に撮影するようなシステムであってもよい。
【００７５】
なお、撮影画像をダウンロードする手段として、ユーザ端末の代わりに、コンビニエンスストアなどに専用情報端末を設置し、課金システム、あるいは撮影画像印刷システムを併設するようにしても良い。また、テーマパーク内の撮影現場における所定の位置に専用情報端末を設置し、入園者がテーマパークより帰る際に、撮影画像をダウンロード、あるいは印刷できるようなシステムとしても良い。
【００７６】
また、本実施の形態では、５人の入園者の場合を例にとって説明したが、これに限定するものではなく、５人以上の入園者に対しても同様の処理を行えば同効果が得られる。
【００７７】
また、本実施の形態における識別番号の付与の仕方は説明した方法に限定するものではなく、例えば、日付と通し番号の組合せ、アルファベットと使用したりしてもよい。
【００７８】
また、本実施の形態では識別番号をリストバンドによって保持していたが、これに限定するものではなく、フリーパスカード、あるいは携帯電話に発信機を内蔵したものなどに記憶させてもよい。また識別番号については、何度もテーマパークに訪れるユーザのために、そのユーザ専用の番号としても良い。
【００７９】
また、本実施の形態では、ファイルネーム＝［識別番号］＋［撮影地点］＋［撮影番号］としたが、これに限定するものではなく、入園者を撮影している映像だと判断できるファイルネームであればよい。
【００８０】
（実施の形態３）
以下、この発明の実施の形態３について、図４、図９、図１５を用いて説明する。図４は実施の形態３における入園者の撮影方法を説明する図、図９は撮影画像の撮影方法の説明に用いるフローチャート、図１５は撮影画像の発注方法の説明に用いるフローチャートである。
【００８１】
図９は、テーマパーク１内の所定の撮影地点において、カメラ７による撮影の処理方法を示すフローチャートである。以下、入園者（１）が撮影される場合を例にとって説明する。
【００８２】
まず、入園者（１）は、テーマパーク１に入園する際に、入園料を支払い、入園者（１）個人に対応する識別番号［００１］を登録する（図９の識別番号記憶ステップに対応するＳ９０１）。この識別番号［００１］は、テーマパーク１内のすべての乗り物に自由に乗ることができることを証明する、いわゆるフリーパスと兼用するものであり、入園者（１）は、例えば図３に示すように、バーコードで識別番号［００１］が記載されたリストバンド１１を受け取り、手首に装着する。
【００８３】
リストバンド１１を着けた入園者（１）が、所定の撮影地点（一例ではＡ地点とする）に立ち、リストバンド１１のデータ（識別番号［００１］）を識別番号受信機８に認識させる（識別番号受信ステップに対応するＳ９０２）。識別番号受信機８が識別番号を受信すると、その信号に反応してカメラ７のタイマーが働き、一定時間後シャッターが押され、撮影を開始する（撮影ステップに対応するＳ９０３）。
【００８４】
撮影された撮影画像は、識別番号など他のデータとともに、一つのデータとして作成され、テーマパーク１内のバス６を通って、サーバ５の撮影画像データベース９に保存される（保存ステップに対応するＳ９０４）。撮影画像は、撮影画像データベース９内において分類され、所定のフォルダに保存される（Ｓ９０５）。つまりこの一例においては、識別番号［００１］の入園者（１）が、撮影地点Ａにて、撮影された画像の通し番号が［００１］の場合には、図６の一番上に示す［００１Ａ００１］のファイルネームで保存される。
【００８５】
図１５は、ユーザ端末を用いて、入園者、すなわちユーザが撮影画像のダウンロード処理を行う方法（取得ステップ）を示すフローチャートである。以下、入園者（１）が撮影画像をダウンロード処理する場合を例にとって説明する。
【００８６】
まず、テーマパーク１より自宅に戻った入園者（１）は、ユーザ端末１４を用い、ネットワーク網１３を介して、サーバ５との接続を行う（図１５のＳ１５０１）。入園者（１）は、キーボード２４より自分の識別番号［００１］を入力し、サーバ５に対して要求信号を送信する（Ｓ１５０２）。要求信号を送信した結果、サーバ５は撮影画像データベース９より、識別番号［００１］の撮影画像を検索し、ユーザ端末１４のディスプレイ２３上に、撮影画像の縮小画像（サムネイル画像）を表示させる（Ｓ１５０３）。
【００８７】
この縮小画像を表示させる際、サーバ５からは、撮影画像１枚については、無料でダウンロードできる旨の情報を表示させる。あるいは、予めテーマパーク１内において、その情報を入園者に知らせるようにしておく。この情報を元に、入園者（１）は、マウス２５等により選択ボタン３２にて、自分の希望する撮影画像とその枚数を決定し、決定ボタン３５にて、サーバ５に対して要求信号を送信する（Ｓ１５０４）。
【００８８】
撮影画像の注文枚数に応じて、サーバ５は入園者（１）に対して課金を要求する（図１５の課金ステップに対応するＳ１５０５）。入園者（１）の注文枚数がｎ枚の時には、その内１枚については無料のため、課金対象はｎ−１枚となる。入園者（１）は、自分の注文した料金に間違いがなければ、クレジットカード等の番号をキーボード２４により入力して、発注する旨の要求信号を送信する（Ｓ１５０６）。サーバ５は、クレジットカード等の番号が有効であるかどうかの判断を行い、問題なしと判断した場合には、ユーザ端末１４に対して、選択された撮影画像の送信を行う（Ｓ１５０７）。
【００８９】
以上のように本実施の形態によれば、撮影画像の内、少なくとも１枚を無料でダウンロード可能としたことにより、ユーザがテーマパーク主催者のホームページにアクセスし、撮影画像の一覧を閲覧する機会が増える。したがって、撮影画像を購入する機会も増えるため、テーマパーク主催者は撮影画像を大量に販売することが可能となる。
【００９０】
なお、本実施の形態においては、撮影画像の内、少なくとも１枚を無料にする方法について説明したが、その他の方法として、少なくとも１枚購入すれば、実施の形態２にて説明したジェットコースターにカメラを搭載し、ジェットコースター側から撮影した画像を無料で提供するなどの附加価値を提供するなどの方法を用いても良い。
【００９１】
（実施の形態４）
以下、この発明の実施の形態４について、図１６、図１７、図１８を用いて説明する。図１６は実施の形態４における料金前払い登録方法と撮影画像の撮影方法の説明に用いるフローチャート、図１７は撮影画像の発注方法の説明に用いる第１のフローチャート、図１８は撮影画像の発注方法の説明に用いる第２のフローチャートである。なお実施の形態４の説明においては、撮影画像を記録し、サーバ５に保存する流れについては、実施の形態３において説明したものと同一であるので、その説明は省略する。
【００９２】
図１６は、テーマパーク１に入園する際の登録方法を示すフローチャートである。以下、入園者（１）が登録する場合を例にとって説明する。
【００９３】
まず、入園者（１）は、テーマパーク１に入園する際に、入園料を支払い、入園者（１）個人に対応する識別番号［００１］を登録する（図１６の識別番号記憶ステップに対応するＳ１６０１）。この際、撮影画像をダウンロードする際に課金される料金については、前払いしておくようなシステムとする（図１６の料金前払いステップに対応するＳ１６０２）。つまり、入園者は、入園料に撮影画像の料金を足した料金払うことになる。この際、前払いを行う特典として、例えば、通常１枚５０円でダウンロードできる撮影画像について、５００円払うと１５枚ダウンロードできるようにしておくことにより、前払い制を導入する割安感を、入園者に対して与えることができる。この前払いをしてもらった入園者に対しては、後ほど撮影画像をダウンロードする際に、本人であることを証明するため、例えばパスワードを登録する。
【００９４】
以下、撮影方法（識別番号受信ステップ、撮影ステップ、保存ステップ）については、図９のフローチャートに記載したものと同一であるため、その説明は省略する。
【００９５】
図１７は、ユーザ端末１４を用いて、入園者、すなわちユーザが撮影画像のダウンロード処理を行う方法（取得ステップ）を示すフローチャートである。以下、入園者（１）が撮影画像をダウンロード処理する場合を例にとって説明する。
【００９６】
まず、テーマパーク１より自宅に戻った入園者（１）は、ユーザ端末１４を用い、ネットワーク網１３を介して、サーバ５との接続を行う（Ｓ１７０１）。入園者（１）は、キーボード２４より自分の識別番号［００１］を入力し、サーバ５に対して要求信号を送信する（Ｓ１７０２）。要求信号を送信した結果、サーバ５は、その識別番号の入園者（１）が、撮影画像を購入するための料金を予め入園時に前払いしているかどうかの判断を行う（Ｓ１７０３）。
【００９７】
料金前払いを選択した場合には、入園時に登録したパスワードを入力する（Ｓ１７０４）。料金前払いをしていない場合には、後ほど説明する（１）のステップに進む。サーバ５は、入力されたパスワードが有効かどうかの判断を行う。パスワードが有効な場合には、サーバ５は撮影画像データベース９より、識別番号［００１］の撮影画像を検索し、ユーザ端末１４のディスプレイ２３上に、撮影画像の縮小画像（サムネイル画像）を表示させる（Ｓ１７０５）。
【００９８】
入園者（１）は、マウス２５等により選択ボタン３２にて、自分の希望する撮影画像とその枚数を決定し、決定ボタン３５にて、サーバ５に対して要求信号を送信する（Ｓ１７０６）。この際サーバ５は、入園者（１）の希望枚数が、前払いをした際に定められた枚数（本実施の形態においては１５枚）に対し、多いか少ないかの判断を行う（Ｓ１７０７）。希望枚数が１５枚以下の場合には、サーバ５は、ユーザ端末１４に対して、選択された撮影画像の送信を行う（Ｓ１７０８）。逆に、希望枚数が１５枚を超える場合には、（２）のステップに進む。
【００９９】
次に、（Ｓ１７０３）にて、料金前払いが選択されなかった場合には、（１）のステップ、つまり図１８に示すステップに進み、サーバ５は撮影画像データベース９より、識別番号［００１］の撮影画像を検索し、ユーザ端末１４のディスプレイ２３上に、撮影画像の縮小画像（サムネイル画像）を表示させる（Ｓ１８０１）。入園者（１）は、マウス２５等により選択ボタン３２にて、自分の希望する撮影画像とその枚数を決定し、決定ボタン３５にて、サーバ５に対して要求信号を送信する（Ｓ１８０２）。撮影画像の注文枚数に応じて、サーバ５は入園者（１）に対して課金を要求する（課金ステップに対応するＳ１８０３）。
【０１００】
また、図１７のフローチャートで示したように、前払い制を選択し、購入希望枚数が１５枚を超えた場合には、（２）を経由して、サーバ５は、１５枚を超えた枚数のみ課金を要求する。入園者（１）は、自分の注文した枚数に間違いがなければ、クレジットカード等の番号をキーボード２４により入力して、発注する旨の要求信号を送信する（Ｓ１８０４）。サーバ５は、クレジットカード等の番号が有効であるかどうかの判断を行い（課金ステップ）、問題なしと判断した場合には、ユーザ端末１４に対して、選択された撮影画像の送信を行う（Ｓ１８０５）。
【０１０１】
以上のように本実施の形態によれば、撮影画像の購入を前払い制にし、ユーザが自宅で撮影画像を購入する場合に比べ、同一金額で、よく多くの撮影画像を購入可能とし、かつ追加で購入可能としたことにより、ユーザがテーマパーク主催者のホームページにアクセスし、撮影画像の一覧を閲覧する機会が増える。したがって、撮影画像を販売する機会も増えるため、テーマパーク主催者は撮影画像を大量に販売することが可能となる。
【０１０２】
なお、本実施の形態においては、前払い制により購入可能な撮影画像の枚数を５００円で１５枚、１つの撮影画像の金額を５０円としたが、この金額に限定されるものではない。
【０１０３】
（実施の形態５）
以下、この発明の実施の形態５について、図１９を用いて説明する。図１９は撮影画像の発注方法の説明に用いるフローチャートである。なお実施の形態５の説明においては、撮影画像を記録し、サーバ５に保存する流れについては、実施の形態３において説明したものと同一であるので、その説明は省略する。
【０１０４】
図１９は、ユーザ端末１４を用いて、入園者、すなわちユーザが撮影画像のダウンロード処理を行う（取得ステップ）を示すフローチャートであり、図１０に示すフローチャートに、撮影画像データを消去するステップを追加したものである。
【０１０５】
以下、入園者（１）が撮影画像をダウンロード処理する場合を例にとって説明するが、図１０に示すフローチャートの（Ｓ１００５）のステップまでは同一であるため、フローチャート（Ｓ１９０８）より説明する。
【０１０６】
入園者（１）は、撮影画像の消去を行うかどうかの判断を行う（図１９の消去ステップに対応するＳ１９０８）。つまり入園者（１）は、例えば何らかの不注意により、自分が撮影された撮影画像が第３者の手に渡って悪用されることを未然に防ぐことが可能となる。入園者（１）は、マウス２５等により撮影画像消去ボタン３６にて、サーバ５に対して要求信号を送信する（Ｓ１９０９）。サーバ５は、撮影画像データベース９より、識別番号［００１］に対応した撮影画像データの消去を行う（Ｓ１９１０）。なお、データ消去を行わない場合には、撮影画像は、そのまま撮影画像データベース９に保存されたままとなる。
【０１０７】
以上のように本実施の形態によれば、撮影画像データベースより自分の撮影画像を消去可能としたことにより、何らからの不注意により、第３者に悪用されることを未然に防ぐことができるので、テーマパーク主催者側の信頼度がアップし、利用者を増やすことにつながる。
【０１０８】
なお、本実施の形態においては、ユーザ端末に撮影画像を送信した後、撮影画像データを消去する方法について説明したが、撮影画像をダウンロードする、しないに関わらず、消去可能としてもよい。
【０１０９】
また、撮影画像については、ユーザの意思により消去可能としたが、例えば、何ヶ月かの期限を決めて、その期間が終了したら自動的に消去されるようなシステムとしても良い。
【０１１０】
（実施の形態６）
以下、この発明の実施の形態６について、図２０、図２１、図２２を用いて説明する。図２０は実施の形態６におけるテーマパーク全体を表した情報ファイルの説明に用いる図、図２１は情報ファイルにリンクされた撮影画像のツリー構造を説明する図、図２２は撮影画像の発注方法の説明に用いるフローチャートである。なお実施の形態６の説明において、撮影画像を記録し、サーバ５に保存する流れについては、実施の形態３において説明したものと同一であるので、その説明は省略する。
【０１１１】
図２０は、ＨＴＭＬファイル４６で作成された情報ファイルの一例を示したものであり、テーマパーク１全体が表示できるように、テーマパークの画像４１が貼り付けてある。テーマパークの画像４１には、それぞれ、実際のテーマパーク１とほぼ同位置に、例えば、ジェットコースターの画像４２、メリーゴーランドの画像４３、観覧車の画像４４が表示されている。このジェットコースターの画像４２、メリーゴーランドの画像４３、観覧車の画像４４には、所定の撮影画像がリンク（貼り付け）されており、ユーザ端末１４のマウス２５等で、その画像の近辺をクリックすると、所定の画像が表示されるようになっている。
【０１１２】
図２１に、ＨＴＭＬファイルのツリー構造を示す。ＨＴＭＬファイル４６は、テーマパーク１全体を表示する情報ファイルである。入園者（１）が撮影された撮影画像は、撮影年月日、撮影位置（Ａ，Ｂ，Ｃ，Ｄ・・・）ごとにフォルダ４７，４８が作成され、各フォルダ４７，４８には、撮影画像と、撮影画像を縮小したサムネイル画像が格納されている。なお、このサムネイル画像には、本来の撮影画像がリンクされているようなツリー構造となっている。
【０１１３】
一例として、入園者（１）が、２０００年１０月１日に、Ａ地点で撮影された撮影画像［００１Ａ００１］は、そのサムネイル画像である［００１Ａ００１Ｓ］と共に、フォルダ４８Ａに格納されている。よって、入園者（１）がＨＴＭＬファイル４６を開き、ジェットコースターの画像４２付近で、マウス２５等をクリックすると（矢印４５）、まずサムネイル画像である［００１Ａ００１Ｓ］及び［００１Ａ００２Ｓ］が一覧表示される。このサムネイル画像には、本来の撮影画像がリンクされているので、入園者（１）が、サムネイル画像［００１Ａ００１Ｓ］をクリックすると、撮影画像［００１Ａ００１］が表示できる。
【０１１４】
図２２は、ユーザ端末１４を用いて、入園者、すなわちユーザが撮影画像のダウンロード処理を行う方法（取得ステップ）を示すフローチャートであり、図１０に示すフローチャートに、画像情報ファイルを作成、送信するステップを追加したものである。以下、入園者（１）が撮影画像をダウンロード処理する場合を例にとって説明するが、（Ｓ２２０６）のステップまでは同一であるため、（Ｓ２２０７）より説明する。
【０１１５】
入園者（１）の要求信号を受け、サーバ５は撮影画像のＨＴＭＬファイルである情報ファイル４６を作成する（図２２の情報ファイル作成ステップに対応するＳ２２０７）。サーバ５は、ユーザ端末１４に対して、情報ファイル４６と、各フォルダ４７に格納された撮影画像とサムネイル画像の送信を行う（図２２の送信ステップに対応するＳ２２０８，Ｓ２２０９）。
【０１１６】
以上のように本実施の形態によれば、ユーザは、撮影画像と共に、撮影画像がリンクされた情報ファイルをダウンロードできるので、撮影日、撮影場所ごとに、撮影画像の管理を容易に行うことができるので、撮影画像を購入しやすくなり、
テーマパーク主催者は撮影画像を大量に販売することが可能となる。
【０１１７】
なお、本実施の形態においては、１回の情報ファイルのダウンロードについて説明したが、ユーザがテーマパークに複数回行き、撮影画像を入手するたびに、情報ファイルを書き換えることも可能である。また識別番号については、何度もテーマパークに訪れるユーザのために、そのユーザ専用の番号としても良い。
【０１１８】
なお、情報ファイルにおける撮影画像の表示方法については、撮影位置ごとの分類に限定されるものではなく、例えば、撮影日ごとに表示できるような表示方法であっても良い。また、ＨＴＭＬファイルにリンクされた撮影画像のツリー構造に関しても、本実施の形態に限定されるものではない。
【０１１９】
なお、情報ファイルについては、ＨＴＭＬファイルを例にして説明したが、撮影画像をリンクできるものであれば、その他のソフトであっても良い。
【０１２０】
（実施の形態７）
以下、本発明の実施の形態７について、図２３、図２４、図２５を用いて説明する。図２３は、実施の形態７におけるネットワークシステムの構成を示すブロック図、図２４は専用端末の構成を示すブロック図、図２５は撮影画像の発注方法の説明に用いるフローチャートである。なお実施の形態７の説明においては、撮影画像を記録し、サーバ５に保存するまでの流れについては、実施の形態１において説明したものと同一であるので、その説明は省略する。
【０１２１】
図２３に示すように、サーバ５は、高速の専用回線１５を介して、コンビニエンスストアなどに置かれた専用情報端末１６と接続されている。図２４は、専用情報端末の構成の一例を示すものである。
【０１２２】
図２４において、ＣＰＵ７７からは、バス７８が導出される。バス７８には、ブートプログラム等が格納されたＲＯＭ７９と、メインメモリ用のＲＡＭ８０と、ハードディスクドライブ等のストレージデバイス８１が接続される。またバス７８には、ドライバ８２を介してディスプレイ８３が接続される。またバス７８には、ドライバ８４を介して入力機器８５が接続される。入力機器８５としては、例えばタッチパネルを用いることができる。またバス７８には、インターフェース８６を介して記録メディア８７が装着可能な記録メディア装着機８８が接続されると共に、ドライバ９１を介して、現金投入機９２が接続される。さらにバス７８には、インターフェース８９を介して、高速通信用のターミナルアダプタ９０が接続される。またバス７８には、ドライバ９３を介して、撮影画像を印刷するプリンタ９４が接続され、任意のサイズのプリント写真９５が印刷される。
【０１２３】
以上のように構成された撮影画像の送信システムにおける撮影画像の送信サービスについて、フローチャートを用いて説明する。図２５は、専用情報端末１６を用いて、入園者、すなわちユーザが撮影画像のダウンロード処理を行う方法を示すフローチャートである。
【０１２４】
まず、ユーザは、コンビニエンスストアなどに設置された専用情報端末１６を用いて、一般のネットワーク網よりも高速な専用回線１５を介して、サーバ５との接続を行う（図２５のＳ２５０１）。入園者（１）は、自分の識別番号［００１］をタッチパネル８５より入力し、サーバ５に対して要求信号を送信する（Ｓ２５０２）。要求信号を送信した結果、サーバ５は撮影画像データベース９より、識別番号［００１］の撮影画像を検索し、専用情報端末１６のディスプレイ８３上に、撮影画像の縮小画像を表示させる（Ｓ２５０３）。
【０１２５】
入園者（１）は、自分の希望する撮影画像とその枚数を入力機器８５により決定し、サーバ５に対して要求信号を送信する（Ｓ２５０４）。撮影画像の注文枚数に応じて、サーバ５は入園者（１）に対して課金を要求する（Ｓ２５０５）。入園者（１）は、自分の注文した料金に間違いがなければ、現金投入機９２に所定のお金を投入して、発注する旨の要求信号を送信する（Ｓ２５０６）。サーバ５は、所定の金額が投入されたかどうかの判断を行い、問題なしと判断した場合には、専用情報端末１６に対して、選択された撮影画像の送信を行う（Ｓ２５０７）。
【０１２６】
入園者（１）は、記録メディア装着機８８に記録メディア８７を挿入し、専用情報端末１６に送信された撮影画像を書き込むことにより、撮影画像を入手することが可能となる（Ｓ２５０８）。さらに、印刷手段であるプリンタ９４を用いて撮影画像を印刷することにより、容易にプリント写真９５を入手することが可能となる。
【０１２７】
以上のように本実施の形態によれば、実施の形態１で説明した効果に加え、撮影画像のダウンロードに高速な専用回線を用いることができるので、ダウンロード時間の短縮、通信費の削減により、１枚あたりの撮影画像のコストを下げることができる。また、専用情報端末に現金支払機を設けたことにより、確実に課金を行うことができる。さらには、撮影画像を印刷するプリンタを用いることにより、高画質で、かつ任意のサイズの印刷画像を容易に入手することが可能となるという顕著な効果が得られる。
【０１２８】
（実施の形態８）
以下、本発明の実施の形態８について、図２６、図２７を用いて説明する。図２６は専用情報端末のディスプレイに装飾フレームを表示する方法を説明する図、図２７は撮影画像の発注方法の説明に用いるフローチャートである。なお、実施の形態８の説明においては、撮影画像を記録し、サーバ５に保存する流れについては、実施の形態１において説明したものと同一であるので、その説明は省略する。
【０１２９】
専用情報端末１６のディスプレイ８３上に、撮影画像の縮小画像を表示させるとともに、撮影画像を装飾する、例えばテーマパークのキャラクターなどのフレームを表示させる。図２６に示すように、ディスプレイ８３上には、複数枚のフレーム６０ａ，フレーム６０ｂ，フレーム６０ｃと、それに対応する選択ボタン６１、画面送りボタン６２、画面戻しボタン６３、および決定ボタン６４が表示される。
【０１３０】
以上のように構成された撮影画像の送信システムについて、その撮影画像の送信サービスについて、フローチャートを用いて説明する。図２７は、専用情報端末１６を用いて、入園者、すなわちユーザがフレーム付きの撮影画像を印刷する処理を行う方法を示すフローチャートである。
【０１３１】
まず、ユーザは、コンビニエンスストアなどに設置された専用情報端末１６を用いて、専用回線１５を介して、サーバ５との接続を行う（図２７のＳ２７０１）。入園者（１）は、自分の識別番号[００１]をディスプレイ８３に設置されたタッチパネルより入力し、サーバ５に対して要求信号を送信する（Ｓ２７０２）。要求信号を送信した結果、サーバ５は撮影画像データベース９より、識別番号[００１]の撮影画像を検索し、専用情報端末１６のディスプレイ８３上に、撮影画像の縮小画像を表示させる（Ｓ２７０３）。また、この撮影画像を装飾したいフレーム６０も同時に表示させる（Ｓ２７０４）。
【０１３２】
入園者（１）は、自分の希望する撮影画像、フレームおよびその枚数を決定し、サーバ５に対して要求信号を送信する（Ｓ２７０５）。撮影画像の注文枚数に応じて、サーバ５は入園者（１）に対して課金を要求する（Ｓ２７０６）。入園者（１）は、自分の注文した料金に間違いがなければ、現金投入機９２に所定のお金を投入して、発注する旨の要求信号を送信する（Ｓ２７０７）。サーバ５は、所定の金額が投入されたかどうかの判断を行い、問題なしと判断した場合には、専用情報端末１６に対して、選択された撮影画像とフレームの送信を行う（Ｓ２７０８）。入園者（１）は、プリンタ９４により、撮影画像に所定のフレームを装飾して印刷する（Ｓ２７０９）。
【０１３３】
以上のように本実施の形態によれば、実施の形態１から実施の形態７で説明した効果に加え、撮影画像に対し、テーマパーク独自のキャラクターなどを装飾して印刷することが可能となるので、より思い出に残る写真を入手することができるという顕著な効果が得られる。
【０１３４】
なお、実施の形態７および実施の形態８において、専用情報端末は、コンビニエンスストアなどに設置することを前提として説明したが、その他の例として、テーマパーク内の撮影現場における所定の位置に専用情報端末を設置し、入園者がテーマパークより帰る際に、撮影画像をダウンロード、あるいは印刷できるようなシステムとしても良い。
【０１３５】
また、実施の形態３から実施の形態８において、料金の支払いは現金投入機によって行われたが、これに限定するものではなく、クレジットカード等で行ってもよい。
【０１３６】
また、ダウンロードした撮影画像の縮小画像の表示は、実施の形態１から実施の形態８において説明した表示方法に限定するものではない。
【０１３７】
また、実施の形態１から実施の形態８では撮影場所をテーマパークとして説明したが、これに限定するものではなく、観光地等でもよい。
【０１３８】
（実施の形態９）
以下、本発明の実施の形態９について、図２８、図２９、図３０、図３１、図３２を用いて説明する。図２８は第４の実施の形態における撮影画像送信システムに適用されるマラコンコースの概略図、図２９はマラソンコースにおける自動撮影システムのブロック図、図３０はマラソンコースを走るランナーと識別番号との関係を説明する図、図３１はランナーの撮影方法を説明する図、図３２はサーバにおける撮影画像の管理方法について説明する図である。
【０１３９】
図２８は、本発明の撮影画像送信システムに適用されるマラソンコースの一例である。マラソンコース７０には、スタート地点、折り返し地点、およびゴール地点が設置されている。また、図２９に示すように、マラソンコース７０内には、ａ，ｂ，ｃ，ｄ，ｅ，ｆの地点にて、撮影手段であるカメラ７、識別番号受信機７１、および撮影画像を一時的に管理する簡易サーバ７２がそれぞれ設置されている。この簡易サーバ７２に一時的に管理された撮影画像および識別番号は、最終的にはそれぞれサーバ５が管理する撮影画像データベース９および識別番号データベース１０にて、一括して管理される。
【０１４０】
次に、マラソンコース７０を走るランナーと識別番号と関係について、図３０を用いて説明する。この一例では、５人のランナー（６），（７），（８），（９），（１０）に対し、それぞれ識別番号［００６］，［００７］，［００８］，［００９］，［０１０］が付けられており、ランナーはそれぞれ一例として、識別番号を発信する識別番号記憶手段である発信機７３を自分のシューズ等に取り付けている。この発信機７３については、ランナーのラップタイム、スプリットタイムを測定するために用いる発信機と兼用することができる。識別番号については、ランナーが大会への受け付けを行う際に、ランナーと識別番号とが１対１で対応するように、識別番号データベース１０で管理される。
【０１４１】
次に、図３１に示すように、ランナー（６）がマラソンコース７０内のａ地点通時の写真撮影を行う際には、ランナーが、識別番号受信機７１が取り付けられたラインを通過することにより、識別番号受信機７１がランナーのシューズに取り付けられた発信機７３の信号を検知する。この信号を検知することにより、カメラ７が反応してセルフタイマーが働き、一定時間後にカメラ７のシャッターが押され、撮影画像が記録される。つまり、実施の形態９における発明の特徴は、実施の形態１における発明とは異なり、所定の地点を通過するだけで写真撮影を行うことができるので、ランナー、つまり被写体が意識することなく写真を撮ってもらうことが可能となる。
【０１４２】
次に、この撮影画像は、ランナー（６）の識別番号［００６］と共に、簡易サーバ７２を介し、最終的には、撮影画像データベース９に保存される。なお、この撮影画像のファイル構造については、図５にて説明したものと同一であるので、その説明は省略する。
【０１４３】
また撮影画像は、撮影画像データベース９にて管理される際、図３２に示すツリー構造にて管理される。つまり撮影年月日を示すフォルダ７４、ランナーと特定する識別番号のフォルダ７５よりなり、その中に図５に示すファイル構造に基づいて形成された撮影画像が蓄積されている。この撮影画像データは、データの管理を効率的に行うため、次に示す規則によりファイルネームが付けられている。つまり、ファイルネーム＝［識別番号］＋［撮影地点］＋［撮影番号］となる。一例として、［００６ａ００１］というファイルネームは、識別番号［００６］のランナー、撮影地点がａ地点、その撮影地点での撮影画像の通し番号が［００１］であることを示している。
【０１４４】
以上のように記録された撮影画像を、ランナー、つまりユーザがダウンロードする方法については、これまで説明したものと同一であるため、その説明は省略する。
【０１４５】
なお、本実施の形態では、ファイルネーム＝［識別番号］＋［撮影地点］＋［撮影番号］としたが、これに限定するものではなく、ランナーの撮影映像であることが判断できるファイルネームであればよい。
【０１４６】
また、本実施の形態では、ランナーが５人の場合を例にとって説明したが、これに限定するものではなく、５人以上のランナーの場合でも同様の処理を行えば、同効果が得られる。
【０１４７】
また、本実施の形態ではマラソンの場合を例にとって説明したが、これに限定するものではなく、他の競技やイベント等でも同様の効果が得られる。
【０１４８】
また、本発明では、撮影手段としてカメラを用いたが、これに限定するものではなく、静止画または動画を撮影してサーバに送信できる機器であればよい。
【産業上の利用可能性】
【０１４９】
本発明は、撮影手段によって、例えば遊園地などで撮影された画像をネットワーク網を利用してコンビニエンスストアなどに設置された端末で容易に印刷し、入手することができるもので、ユーザにとって非常に便利なものである。
【図面の簡単な説明】
【０１５０】
【図１】本発明の実施の形態１〜８における撮影画像送信システムに適用されるテーマパークの概略図
【図２】同撮影画像送信システムに適用されるテーマパークにおける自動撮影システムの構成を示すブロック図
【図３】同撮影画像送信システムに適用されるテーマパークの入園者と識別番号との関係を説明する図
【図４】同撮影画像送信システムに適用される入園者の一撮影方法を説明する図
【図５】同撮影画像送信システムに適用される撮影画像のファイル構造について説明する図
【図６】同撮影画像送信システムに適用されるサーバにおける撮影画像の管理方法について説明する図
【図７】同撮影画像送信システムに適用されるネットワークシステムのブロック図
【図８】同撮影画像送信システムに適用されるユーザ端末の構成を示すブロック図
【図９】同撮影画像送信システムに適用される撮影画像の撮影方法の説明に用いるフローチャート
【図１０】同撮影画像送信システムに適用される撮影画像の発注方法の説明に用いるフローチャート
【図１１】同撮影画像送信システムに適用されるユーザ端末の撮影画像選択メニューを説明する図
【図１２】同撮影画像送信システムに適用されるジェットコースター乗車時の入園者の撮影方法を説明する図
【図１３】同撮影画像配信システムに適用されるジェットコースターに設置された識別番号受信機システムのブロック図
【図１４】同撮影画像送信システムに適用される撮影画像の撮影方法の説明に用いるフローチャート
【図１５】同撮影画像送信方法に適用される撮影画像の発注方法の説明に用いるフローチャート
【図１６】本発明の実施の形態４における撮影画像送信方法に適用される料金前払い登録方法と撮影画像の撮影方法の説明に用いるフローチャート
【図１７】同撮影画像送信方法に適用される撮影画像の発注方法の説明に用いる第１のフローチャート
【図１８】同撮影画像送信方法に適用される撮影画像の発注方法の説明に用いる第２のフローチャート
【図１９】本発明の実施の形態５における撮影画像送信方法に適用される撮影画像の発注方法の説明に用いるフローチャート
【図２０】本発明の実施の形態６における撮影画像配信方法に適用されるテーマパーク全体を表した情報ファイルの説明に用いる図
【図２１】同撮影画像送信方法に適用される情報ファイルにリンクされた撮影画像のツリー構造を説明する図
【図２２】同撮影画像送信方法に適用される撮影画像の発注方法の説明に用いるフローチャート
【図２３】本発明の実施の形態７における撮影画像送信システムに適用されるネットワークシステムのブロック図
【図２４】同撮影画像送信システムに適用される専用情報端末の構成を示すブロック図
【図２５】同撮影画像送信システムに適用される撮影画像の発注方法の説明に用いるフローチャート
【図２６】本発明の実施の形態８における撮影画像送信システムに適用される専用情報端末のディスプレイに装飾フレームを表示する方法を説明する図
【図２７】同撮影画像送信システムに適用される撮影画像の発注方法の説明に用いるフローチャート
【図２８】本発明の実施の形態９における撮影画像送信システムに適用されるマラコンコースの概略図
【図２９】同撮影画像送信システムに適用されるマラソンコースにおける自動撮影システムの構成を示すブロック図
【図３０】同撮影画像送信システムに適用されるマラソンコースを走るランナーと識別番号との関係を説明する図
【図３１】同撮影画像送信システムに適用されるランナーの撮影方法を説明する図
【図３２】同撮影画像送信システムに適用されるサーバにおける撮影画像の管理方法について説明する図
【符号の説明】
【０１５１】
１  テーマパーク
５  サーバ
６  テーマパーク内のネットワーク網
７  カメラ
８、７１  識別番号受信機
９  撮影画像データベース
１０  識別番号データベース
１１  リストバンド
１３  ネットワーク網
１４  ユーザ端末
１５  専用回線
１６  専用情報端末
２３  ユーザ端末用ディスプレイ
３０  モデム
３２  選択ボタン
３５  決定ボタン
３６  消去ボタン
４１  情報ファイル
６０  装飾フレーム
７２  簡易サーバ
７３  発信機
８３  専用情報端末用ディスプレイ
８７  記録メディア
８８  記録メディア装着機
９２  現金投入機
９０  ターミナルアダプタ
９４  プリンタ
【図１】
2004248307.tif 000003
【図２】
2004248307.tif 000004
【図３】
2004248307.tif 000005
【図４】
2004248307.tif 000006
【図５】
2004248307.tif 000007
【図６】
2004248307.tif 000008
【図７】
2004248307.tif 000009
【図８】
2004248307.tif 000010
【図９】
2004248307.tif 000011
【図１０】
2004248307.tif 000012
【図１１】
2004248307.tif 000013
【図１２】
2004248307.tif 000014
【図１３】
2004248307.tif 000015
【図１４】
2004248307.tif 000016
【図１５】
2004248307.tif 000017
【図１６】
2004248307.tif 000018
【図１７】
2004248307.tif 000019
【図１８】
2004248307.tif 000020
【図１９】
2004248307.tif 000021
【図２０】
2004248307.tif 000022
【図２１】
2004248307.tif 000023
【図２２】
2004248307.tif 000024
【図２３】
2004248307.tif 000025
【図２４】
2004248307.tif 000026
【図２５】
2004248307.tif 000027
【図２６】
2004248307.tif 000028
【図２７】
2004248307.tif 000029
【図２８】
2004248307.tif 000030
【図２９】
2004248307.tif 000031
【図３０】
2004248307.tif 000032
【図３１】
2004248307.tif 000033
【図３２】
2004248307.tif 000034